(57)【要約】  UE100は、接続先セルの変更を実施した回数をカウントし、カウントした回数に応じて、UE100の移動状態を示すmobility stateを、UE100に設定する制御部105を備える。mobility stateは、接続先セルの変更処理が行われるまでの時間に対応付けられている。制御部105は、UE100が同一の周波数を使用する複数のセル233, 235, 237, 239を含むSFNエリア500に在圏する場合、設定されているmobility stateを維持する。
2020166019.tif 000002
【特許請求の範囲】
【請求項１】
ユーザ装置であって、
接続先セルの変更を実施した回数をカウントし、カウントした前記回数に応じて、前記ユーザ装置の移動状態を示す状態指標を、前記ユーザ装置に設定する制御部を備え、
前記状態指標は、前記接続先セルの変更処理が行われるまでの時間に対応付けられており、
前記制御部は、前記ユーザ装置が同一の周波数を使用する複数のセルを含むエリアに在圏する場合、設定されている前記状態指標を維持するユーザ装置。
【請求項２】
前記エリア内のセルから、所定情報を含んだ報知信号を受信する受信部を備え、
前記制御部は、前記受信部が前記報知信号を受信した場合、設定されている前記状態指標を維持する請求項１に記載のユーザ装置。
【請求項３】
ユーザ装置であって、
接続先セルの変更を実施した回数をカウントし、カウントした前記回数に応じて、前記ユーザ装置の移動状態を示す状態指標を、前記ユーザ装置に設定する制御部を備え、
前記状態指標は、前記接続先セルの変更処理が行われるまでの時間に対応付けられており、
前記制御部は、前記ユーザ装置が同一の周波数を使用する複数のセルを含むエリアに在圏する場合、所定の状態指標を前記ユーザ装置に設定するユーザ装置。
【請求項４】
前記制御部は、前記ユーザ装置が前記エリアに在圏する場合、前記時間が最も短い状態指標を前記ユーザ装置に設定する請求項３に記載のユーザ装置。
【請求項５】
前記制御部は、前記ユーザ装置が前記エリアに在圏する場合、ネットワークから通知された状態指標を前記ユーザ装置に設定する請求項３に記載のユーザ装置。
【請求項６】
前記エリア内のセルから、所定情報を含んだ報知信号を受信する受信部を備え、
前記制御部は、前記受信部が前記報知信号を受信した場合、設定されている前記状態指標を維持する請求項３に記載のユーザ装置。
【発明の詳細な説明】
【技術分野】
【０００１】
本発明は、mobility stateが設定されるユーザ装置に関する。
【背景技術】
【０００２】
3rd Generation Partnership Project（3GPP）は、Long Term Evolution（LTE）を仕様化し、LTEのさらなる高速化を目的としてLTE-Advanced（以下、LTE-Advancedを含めてLTEという）を仕様化している。【０００３】
LTEでは、ユーザ装置（User Equipment, UE）は、一定期間内でハンドオーバ又はセル再選択を実施した回数をカウントし、その回数に応じて、測定報告の送信又はセル再選択が行われるまでの時間（timeToTrigger又はTreselection ）を調整する（非特許文献1参照）。【０００４】
例えば、UEが高速で移動する場合、ハンドオーバ又はセル再選択が高頻度で行われるため、カウント数は大きくなる。【０００５】
この場合、UEは、当該UEの移動状態を示すmobility stateとして、high mobility state又はmedium mobility stateを設定し、設定されたmobility stateに関連付けられた、通常の時間より短い時間で測定報告の送信又はセル再選択を行う。【０００６】
一方、カウント数が小さい場合、UEは、当該UEのmobility stateとして、normal mobility stateを設定し、通常の時間で測定報告の送信又はセル再選択を行う。【０００７】
またLTEでは、複数のセルが、同一の周波数で同一の信号を送信することで１つのエリアを構成するSingle Frequency Network（SFN）シナリオが提案されている。SFNシナリオでは、複数のセルは、UEに対して、同一のセル識別子を通知する。【０００８】
このため、UEは、SFNシナリオが設定されたSFNエリア内を移動している間、１つのセルに在圏していると認識し、ハンドオーバ及びセル再選択を行わない。【０００９】
したがって、SFNエリア内では、ハンドオーバ又はセル再選択を実施した回数がカウントされないため、UEは、 当該UEのmobility stateとして、normal mobility stateを設定する。
【先行技術文献】
【非特許文献】
【００１０】
【非特許文献１】3GPP TS36.331 V15.4.0 3rd Generation Partnership Project; Technical Specification Group Radio Access Network; Evolved Universal Terrestrial Radio Access (E-UTRA); Radio Resource Control (RRC); Protocol specification (Release 15)、3GPP、2018年12月
【発明の概要】
【００１１】
しかしながら、SFNエリアにおいて、高速で移動するUEが、当該UEのmobility stateとして、normal mobility stateを設定する場合、測定報告の送信又はセル再選択が行われるまでの時間が短縮されない。
【００１２】
このため、高速で移動するUEが、SFNエリアを出ると、SFNエリアに隣接するセルへのハンドオーバ又はセル再選択が間に合わずに失敗する可能性がある。
【００１３】
この場合、隣接セルへの再接続が発生してしまう。
【００１４】
そこで、本発明は、このような状況に鑑みてなされたものであり、SFNエリア内を高速で移動する場合であっても、不適切なmobility stateの設定に起因する再接続の発生を回避し得るユーザ装置を提供することを目的とする。
【００１５】
本発明の一態様に係るユーザ装置（100）は、接続先セルの変更を実施した回数をカウントし、カウントした回数に応じて、ユーザ装置（100）の移動状態を示す状態指標を、ユーザ装置（100）に設定する制御部（105）を備え、状態指標は、接続先セルの変更処理が行われるまでの時間に対応付けられており、制御部（105）は、ユーザ装置（100）が同一の周波数を使用する複数のセル（233, 235, 237, 239）を含むエリア（500）に在圏する場合、設定されている状態指標を維持する。
【００１６】
本発明の一態様に係るユーザ装置(100)は、接続先セルの変更を実施した回数をカウントし、カウントした前記回数に応じて、ユーザ装置（100）の移動状態を示す状態指標を、ユーザ装置（100）に設定する制御部（105）を備え、状態指標は、接続先セルの変更処理が行われるまでの時間に対応付けられており、制御部（105）は、ユーザ装置（100）が同一の周波数を使用する複数のセルを含むエリア（500）に在圏する場合、所定の状態指標をユーザ装置（100）に設定する。
【図面の簡単な説明】
【００１７】
【図１】図１は、無線通信システム10の全体概略構成図である。
【図２】図２は、UE100の機能ブロック構成図である。
【図３】図３は、無線通信システム10におけるSFNシナリオを説明する図である。
【図４】図４は、無線通信システム10の動作例1を説明する図である。
【図５】図５は、動作例1におけるmobility state処理のフローチャートを示す図である。
【図６】図６は、無線通信システム10の動作例2を説明する図である。
【図７】図７は、動作例2におけるmobility state処理1のフローチャートを示す図である。
【図８】図８は、動作例2におけるmobility state処理2のシーケンスを示す図である。
【図９】図９は、UE100のハードウェア構成の一例を示す図である。
【発明を実施するための形態】
【００１８】
以下、実施形態を図面に基づいて説明する。なお、同一の機能や構成には、同一又は類似の符号を付して、その説明を適宜省略する。
【００１９】
（１）無線通信システムの全体概略構成
図１は、実施形態に係る無線通信システム10の全体概略構成図である。無線通信システム10は、LTEに従った無線通信システムである。
【００２０】
無線通信システム10は、UE100と、無線基地局201, 203, 205（以下、eNB201, 203, 205）と、コアネットワーク300とを含む。
【００２１】
なお、無線通信システム10は、5G New Radio（NR）に従った無線通信システムであってもよい。この場合、無線基地局201, 203, 205は、NR無線基地局（gNB）であり、コアネットワーク300は、NRコアネットワークである。
【００２２】
UE100は、高速鉄道400（例えば、新幹線）に搭載されたUE又は高速鉄道400に乗車しているユーザのUEである。UE100は、eNB201, 203, 205及びコアネットワーク300との間においてLTEに従った無線通信を実行する。
【００２３】
eNB201, 203は、コアネットワーク300に接続される。各eNBは、無線部と、制御・ベースバンド部とを有する（図示略）。無線部は、無線信号の送受信処理などを行う。制御・ベースバンド部は、eNB全体の制御、無線信号の変復調処理などを行う。eNB201, 203では、無線部と制御・ベースバンド部とは分離せずに設けられている。
【００２４】
eNB205は、Remote Radio Head（RRH）211, 213, 215, 217及びBase Band Unit（BBU）221を含む。RRH211, 213, 215, 217は、eNB205の無線部であり、光ファイバなどを用いてBBU221に接続される。BBU221は、eNB205の制御・ベースバンド部であり、コアネットワーク300に接続される。eNB205では、無線部と制御・ベースバンド部とが分離して設けられている。
【００２５】
eNB201の無線部（以下、eNB201と略す）、eNB203の無線部（以下、eNB203と略す）、及びRRH211, 213, 215, 217は、高速鉄道400が走行する線路410に沿って、連続して配置される。線路410には、トンネル430が設けられている。eNB201, 203は、トンネル430の外部に配置される。
具体的には、eNB201は、トンネル430の入口側に位置し、セル231を有する。eNB203は、トンネル430の出口側に位置し、セル241を有する。
【００２６】
RRH211, 213, 215, 217は、トンネル430の内部に配置される。RRH211は、トンネル430の入口側に位置し、セル233を有する。RRH213, 215は、トンネル430の中央付近に位置し、セル235, 237を有する。RRH217は、トンネル430の出口側に位置し、セル239を有する。
【００２７】
RRH211, 213, 215, 217は、同一の周波数で、同一の信号及び同一のセル識別子を送信する。
【００２８】
本実施形態では、高速鉄道400は、セル231からセル241に向けて、線路410上を走行する。
【００２９】
コアネットワーク300は、3GPPにおいて規定されるEvolved Packet Core（EPC）である。コアネットワーク300は、eNB201, 203, 205とLTEに従った無線通信を実行する。コアネットワーク300は、eNB201, 203, 205を介して、UE100と通信する。
【００３０】
コアネットワーク300は、Mobility Management Entity（MME）、Serving Gateway （S-GW）などの複数のノードから構成される（図示略）。MMEはモビリティ管理及びセッション管理を行う。S-GWはユーザデータ転送を行う。
【００３１】
（２）UE100の機能ブロック構成
次に、UE100の機能ブロック構成について説明する。以下、本実施形態における特徴に関連する部分についてのみ説明する。したがって、UE100は、本実施形態における特徴に直接関係しない他の機能ブロックを備えることは勿論である。
【００３２】
図２は、UE100の機能ブロック構成図である。なお、UE100のハードウェア構成については後述する。図２に示すように、UE100は、送信部101と、受信部103と、制御部105とを備える。
【００３３】
送信部101は、eNB201, 203, 205に対して、LTEに従った上りリンク信号を送信する。
【００３４】
受信部103は、eNB201, 203, 205から、LTEに従った下りリンク信号を受信する。
【００３５】
受信部103は、RRH211, 213, 215, 217から、同一の周波数で、同一の信号及び同一のセル識別子を受信する。
【００３６】
制御部105は、UE100の移動状態を示す状態指標であるmobility stateを設定する。
【００３７】
具体的には、制御部105は、カウント数が第１閾値を超えた場合、UE100のmobility stateとして、高速の移動状態を示すhigh mobility stateを設定する。
【００３８】
制御部105は、カウント数が、第１閾値を超えないが、第１閾値より小さい第２閾値を超えた場合、UE100のmobility stateとして、中速の移動状態を示すmedium mobility stateを設定する。
【００３９】
制御部105は、UE100のmobility stateとして、high mobility state及びmedium mobility stateを設定しない場合、低速の移動状態を示すnormal mobility stateを設定する。
【００４０】
制御部105は、設定されたmobility stateに基づいて、測定報告の送信が行われるまでの時間（timeToTrigger）と、セル再選択が行われるまでの時間（Treseletion）とを調整する。
【００４１】
具体的には、制御部105は、high mobility stateが設定されている場合、通常のtimeToTrigger及びTreselectionの値に、１より小さい値sf-Highを乗じて、timeToTrigger及びTreselectionを調整する。
【００４２】
制御部105は、medium mobility stateが設定されている場合、通常のtimeToTrigger及びTreselectionの値に、１より小さく、かつ、sf-Highより大きい値sf-Mediumを乗じて、timeToTrigger及びTreselectionを調整する。
【００４３】
制御部105は、normal mobility stateが設定されている場合、timeToTrigger及びTreselectionの調整は行わない。
【００４４】
このように、制御部105は、UE100が、一定期間内でハンドオーバ又はセル再選択を実施した回数をカウントし、その回数に応じて、timeToTrigger及びTreselectionの値を調整する。この調整機能は、Speed dependent scaling（SDS）機能と呼ばれる。
【００４５】
例えば、UE100が高速又は中速で移動する場合、ハンドオーバ又はセル再選択が高頻度で行われるため、カウント数は大きくなる。このため、制御部105は、SDS機能を用いて、UE100のmobility stateとして、high mobility state又はmedium mobility stateを設定し、timeToTrigger及びTreselectionの値を小さくする。
【００４６】
これにより、高速又は中速で移動するUE100は、測定報告の送信が行われるまでの時間と、セル再選択が行われるまでの時間とを短縮して、測定報告の送信及びセル再選択の早期化を図る。
【００４７】
以下、測定報告の送信及びセル再選択を、まとめて「接続先セルの変更処理」と適宜呼ぶ。また、timeToTrigger及びTreselectionを、まとめて「接続先セルの変更処理が行われるまでの時間」と適宜呼ぶ。
【００４８】
（３）SFNシナリオ
次に、SFNシナリオについて説明する。図３は、無線通信システム10におけるSFNシナリオを説明する図である。
【００４９】
図３に示すように、トンネル430の内部に配置されたRRH211, 213, 215, 217は、セル233, 235, 237, 239内で、同一の周波数で同一の信号を送信することで１つのエリア（SFNエリア500）を構成する。なお、同一の信号とは、同一の内容を含む信号を意味しており、信号のヘッダ部分などが異なっていてもよい。
【００５０】
RRH211, 213, 215, 217は、セル233, 235, 237, 239内で、同一のセル識別子を送信する。このため、高速鉄道400がトンネル430を通過する際に、UE100は、セル233, 235, 237, 239を同一のセルと識別する。したがって、SFNエリア500において、UE100は、ハンドオーバ及びセル再選択を行わない。
【００５１】
このように、SFNシナリオでは、隣接するRRHからの信号が互いに干渉せず、かつ、ハンドオーバ及びセル再選択が行われないため、高速移動通信環境に適している。
【００５２】
なお、SFNシナリオでは、高速移動時のドップラー周波数シフトの影響を低減するために、UE100は、特定の処理を行う必要がある。このためRRH211, 213, 215, 217は、当該処理をオン・オフするための制御情報を報知信号に含めて、セル233, 235, 237, 239内で定期的に報知する。
【００５３】
本実施形態では、当該制御情報として、highSpeedEnhancedDemodulationFlag-r14が使用される。highSpeedEnhancedDemodulationFlag-r14は、報知信号内のRadioResourceConfigCommon情報要素に含まれる。
【００５４】
したがって、UE100は、highSpeedEnhancedDemodulationFlag-r14を受信する場合、SFNエリア500に在圏すると判断することができる。
【００５５】
（４）無線通信システムの動作
次に、無線通信システム10の動作について説明する。具体的には、SFNエリア500内でSDS機能を中断している間におけるmobility sate処理について説明する。
【００５６】
なお、SFNエリア500において、SDS機能が動作する場合、UE100は、SFNエリア500を高速で移動しても、ハンドオーバ及びセル再選択を実施した回数がカウントされないため、UE100のmobility stateとして、normal mobility stateを設定する。このため、SFNエリア500では、移動先セルの変更処理が行われるまでの時間が短縮されない。
【００５７】
これに対して、SFNエリア500において、SDS機能を中断する場合、UE100は、UE100のmobility stateとして、normal mobility stateを設定しないため、SFNエリア500では、移動先セルの変更処理が行われるまでの時間が短縮されない状態を回避することができる。
【００５８】
（４．１）動作例１
図４は、動作例1を説明する図である。図５は、動作例1におけるmobility state処理のフローチャートを示す図である。動作例1では、UE100は、SFNエリア500内でSDS機能を中断している間、UE100に設定されているmobility stateを維持する。
【００５９】
図４に示すように、UE100は、高速鉄道400がトンネル430に入るまで、SDS機能に基づいて、移動先セルの変更処理が行われるまでの時間を調整する。本実施形態では、UE100は、高速で移動しているため、UE100のmobility stateとして、high mobility stateが設定される。
【００６０】
高速鉄道400がトンネル430に入り、UE100が、highSpeedEnhancedDemodulationFlag-r14が設定された報知信号をセル233から受信すると、SFNエリア500に在圏すると判断する（図５のS11）。なお、UE100が当該報知信号を受信する位置は、図３の地点Aである。
【００６１】
UE100は、SFNエリア500に在圏すると判断する場合、SDS機能を中断して、mobility stateの変更を実施せず、UE100に設定されているmobility stateを維持する（図５のS13）。これにより、移動先セルの変更処理が行われるまでの時間についても、UE100に設定されている時間が維持される。本実施形態では、UE100は、UE100のmobility stateとして、high mobility stateを維持する。
【００６２】
セル235, 237, 239は、セル233と同様に、highSpeedEnhancedDemodulationFlag-r14が設定された報知信号を定期的に報知している。このため、UE100は、SFNエリア500に在圏している間、SDS機能を中断して、UE100に設定されているmobility stateを維持する（図５のS15:NO）。
【００６３】
高速鉄道400がトンネル430から出て、UE100が、highSpeedEnhancedDemodulationFlag-r14が設定されていない報知信号をセル241から受信すると、SFNエリア500から出たと判断する（図５のS15:YES）。なお、UE100が当該報知情報を受信する位置は、図３の地点Bである。
【００６４】
UE100は、SFNエリア500から出たと判断する場合、SDS機能を再開する（図５のS17）。
【００６５】
なお、UE100は、SFNエリア500に在圏すると判断する場合、SDS機能を中断せずに、mobility stateの変更を無視し、UE100に設定されているmobility stateを維持してもよい。この場合、UE100は、SFNエリア500から出たと判断する場合、mobility stateの変更を再開する。
【００６６】
（４．１）動作例２
図６は、動作例2を説明する図である。動作例2では、UE100は、SFNエリア500内でSDS機能を中断している間、UE100のmobility stateとして、所定のmobility stateを設定する。
【００６７】
（４．１．１）mobility state処理１
図７は、動作例2におけるmobility state処理1のフローチャートを示す図である。mobility state処理1では、所定のmobility stateとして、high mobility stateを設定する。
【００６８】
図６に示すように、UE100は、高速鉄道400がトンネル430に入るまで、SDS機能に基づいて、移動先セルの変更処理が行われるまでの時間を調整する。本実施形態では、UE100は、高速で移動しているため、UE100のmobility stateとして、high mobility stateが設定される。
【００６９】
高速鉄道400がトンネル430に入り、UE100が、highSpeedEnhancedDemodulationFlag-r14が設定された報知信号をセル233から受信すると、SFNエリア500に在圏すると判断する（図７のS21）。なお、UE100が当該報知信号を受信する位置は、図３の地点Aである。
【００７０】
UE100は、SFNエリア500に在圏すると判断する場合、SDS機能を中断して、UE100のmobility stateとして、high mobility stateを設定する（図７のS23）。これにより、移動先セルの変更処理が行われるまでの時間は、最も短くなる。
【００７１】
セル235, 237, 239は、セル233と同様に、highSpeedEnhancedDemodulationFlag-r14が設定された報知信号を定期的に報知している。このため、UE100は、SFNエリア500に在圏している間、SDS機能を中断して、UE100のmobility stateとして、high mobility stateを設定する（図７のS25:NO）。
【００７２】
高速鉄道400がトンネル430から出て、UE100が、highSpeedEnhancedDemodulationFlag-r14が設定されていない報知信号をセル241から受信すると、SFNエリア500から出たと判断する（図７のS25:YES）。なお、UE00が当該報知情報を受信する位置は、図３の地点Bである。
【００７３】
UE100は、SFNエリア500から出たと判断する場合、SDS機能を再開する（図５のS27）。
【００７４】
（４．１．２）mobility state処理2
図８は、動作例2におけるmobility state処理2のシーケンスを示す図である。mobility state処理2では、所定のmobility stateとして、ネットワークから通知されたmobility stateに設定する。なお、本実施形態では、ネットワークとは、eNB201又はコアネットワーク300を意味している。
【００７５】
高速鉄道400がトンネル430に入る前に、UE100が、ネットワークから所定のmobility stateを受信する（図８のS31）。
【００７６】
高速鉄道400がトンネル430に入り、UE100が、highSpeedEnhancedDemodulationFlag-r14が設定された報知信号をセル233から受信すると、SFNエリア500に在圏すると判断する（図８のS33）。
【００７７】
UE100は、SFNエリア500に在圏すると判断する場合、SDS機能を中断して、UE100のmobility stateとして、ネットワークから通知された所定のmobility stateを設定する（図８のS35）。
【００７８】
セル235, 237, 239は、セル233と同様に、highSpeedEnhancedDemodulationFlag-r14が設定された報知信号を定期的に報知している。このため、UE100は、SFNエリア500に在圏している間、SDS機能を中断して、UE100のmobility stateとして、ネットワークから通知された所定のmobility stateを設定する。
【００７９】
高速鉄道400がトンネル430から出て、UE100が、highSpeedEnhancedDemodulationFlag-r14が設定されていない報知信号をセル241から受信すると、SFNエリア500から出たと判断する（図８のS37）。
【００８０】
UE100は、SFNエリア500から出たと判断する場合、SDS機能を再開する（図８のS39）。
【００８１】
なお、図８のS31において、UE100は、所定のmobility stateの代わりに、所定の係数を、ネットワーク側から受信してもよい。なお。所定の係数は、１より小さい。
【００８２】
この場合、図８のS35において、UE100は、接続先セルの変更処理が行われるまでの通常の時間に、所定の係数を乗じて、接続先セルの変更処理が行われるまでの時間を直接短縮する。
（５）作用・効果
上述した実施形態によれば、UE100は、UE100が同一の周波数を使用する複数のセル233, 235, 237, 239を含むSFNエリア500に在圏する場合、設定されているmobility stateを維持する。
【００８３】
このような構成により、UE100が高速で移動する場合、SFNエリア500において、UE100のmobility stateはnormal mobility stateに変更されずに、設定されているhigh mobility stateが維持される。このため、接続先セルの変更処理が行われるまでの時間が短縮された状態も継続する。
【００８４】
このため、UE100がSFNエリア500内を高速で移動する場合であっても、不適切なmobility stateの設定に起因する再接続の発生を回避し得る。
【００８５】
本実施形態によれば、UE100は、SFNエリア500内のセル233, 235, 237, 239から、highSpeedEnhancedDemodulationFlag-r14を含んだ報知信号を受信した場合、設定されているmobility stateを維持する。
【００８６】
このような構成により、UE100は、簡易な構成で、SFNエリア500に在圏すると判断することができる。
【００８７】
本実施形態によれば、UE100は、UE100が同一の周波数を使用する複数のセル233, 235, 237, 239を含むSFNエリア500に在圏する場合、UE100のmobility stateとして、所定のmobility stateを設定する。
【００８８】
このような構成により、UE100が高速で移動する場合、SFNエリア500において、UE100のmobility stateはnormal mobility stateに変更されずに、所定のmobility stateに設定される。このため、例えば、所定のmobility stateが、接続先セルの変更処理が行われるまでの時間が短いmobility stateであれば、接続先セルの変更処理が行われるまでの時間が短縮された状態が継続する。
【００８９】
このため、UE100がSFNエリア500内を高速で移動する場合であっても、不適切なmobility stateの設定に起因する再接続の発生を回避し得る。
【００９０】
本実施形態によれば、UE100は、SFNエリア500に在圏する場合、UE100のmobility stateとして、high mobility stateを設定する。
【００９１】
このような構成により、UE100が高速で移動する場合、簡易な構成で、SFNエリア500において、接続先セルの変更処理が行われるまでの時間が短縮された状態が継続することができる。
【００９２】
本実施形態によれば、UE100は、SFNエリア500に在圏する場合、UE100のmobility stateとして、ネットワークから通知されたmobility stateを設定する。
【００９３】
このような構成により、ネットワーク側から、UE100のmobility stateを自由に設定することができる。このため、無線通信システム10の柔軟性が向上し得る。
【００９４】
（６）その他の実施形態
以上、実施形態に沿って本発明の内容を説明したが、本発明はこれらの記載に限定されるものではなく、種々の変形及び改良が可能であることは、当業者には自明である。
【００９５】
また、上述した実施形態の説明に用いたブロック構成図（図２）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的または論理的に結合した１つの装置を用いて実現されてもよいし、物理的または論理的に分離した２つ以上の装置を直接的または間接的に（例えば、有線、無線などを用いて）接続し、これら複数の装置を用いて実現されてもよい。機能ブロックは、上記１つの装置または上記複数の装置にソフトウェアを組み合わせて実現されてもよい。
【００９６】
機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting unit）や送信機（transmitter）と呼称される。何れも、上述したとおり、実現方法は特に限定されない。
【００９７】
さらに、上述したUE100は、本開示の無線通信方法の処理を行うコンピュータとして機能してもよい。図９は、当該装置のハードウェア構成の一例を示す図である。図９に示すように、当該装置は、プロセッサ1001、メモリ1002、ストレージ1003、通信装置1004、入力装置1005、出力装置1006及びバス1007などを含むコンピュータ装置として構成されてもよい。
【００９８】
なお、以下の説明では、「装置」という文言は、回路、デバイス、ユニットなどに読み替えることができる。当該装置のハードウェア構成は、図に示した各装置を１つまたは複数含むように構成されてもよいし、一部の装置を含まずに構成されてもよい。
【００９９】
当該装置の各機能ブロックは、当該コンピュータ装置の何れかのハードウェア要素、または当該ハードウェア要素の組み合わせによって実現される。
【０１００】
また、当該装置における各機能は、プロセッサ1001、メモリ1002などのハードウェア上に所定のソフトウェア（プログラム）を読み込ませることによって、プロセッサ1001が演算を行い、通信装置1004による通信を制御したり、メモリ1002及びストレージ1003におけるデータの読み出し及び書き込みの少なくとも一方を制御したりすることによって実現される。
【０１０１】
プロセッサ1001は、例えば、オペレーティングシステムを動作させてコンピュータ全体を制御する。プロセッサ1001は、周辺装置とのインターフェース、制御装置、演算装置、レジスタなどを含む中央処理装置（CPU）によって構成されてもよい。
【０１０２】
また、プロセッサ1001は、プログラム（プログラムコード）、ソフトウェアモジュール、データなどを、ストレージ1003及び通信装置1004の少なくとも一方からメモリ1002に読み出し、これらに従って各種の処理を実行する。プログラムとしては、上述の実施の形態において説明した動作の少なくとも一部をコンピュータに実行させるプログラムが用いられる。さらに、上述の各種処理は、１つのプロセッサ1001によって実行されてもよいし、２つ以上のプロセッサ1001により同時または逐次に実行されてもよい。プロセッサ1001は、１以上のチップによって実装されてもよい。なお、プログラムは、電気通信回線を介してネットワークから送信されてもよい。
【０１０３】
メモリ1002は、コンピュータ読み取り可能な記録媒体であり、例えば、Read Only Memory（ROM）、Erasable Programmable ROM（EPROM）、Electrically Erasable Programmable ROM（EEPROM）、Random Access Memory（RAM）などの少なくとも１つによって構成されてもよい。メモリ1002は、レジスタ、キャッシュ、メインメモリ（主記憶装置）などと呼ばれてもよい。メモリ1002は、本開示の一実施形態に係る方法を実行可能なプログラム（プログラムコード）、ソフトウェアモジュールなどを保存することができる。
【０１０４】
ストレージ1003は、コンピュータ読み取り可能な記録媒体であり、例えば、Compact Disc ROM（CD-ROM）などの光ディスク、ハードディスクドライブ、フレキシブルディスク、光磁気ディスク（例えば、コンパクトディスク、デジタル多用途ディスク、Blu-ray（登録商標）ディスク）、スマートカード、フラッシュメモリ（例えば、カード、スティック、キードライブ）、フロッピー（登録商標）ディスク、磁気ストリップなどの少なくとも１つによって構成されてもよい。ストレージ1003は、補助記憶装置と呼ばれてもよい。上述の記録媒体は、例えば、メモリ1002及びストレージ1003の少なくとも一方を含むデータベース、サーバその他の適切な媒体であってもよい。
【０１０５】
通信装置1004は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。
【０１０６】
通信装置1004は、例えば周波数分割複信（Frequency Division Duplex：FDD）及び時分割複信（Time Division Duplex：TDD）の少なくとも一方を実現するために、高周波スイッチ、デュプレクサ、フィルタ、周波数シンセサイザなどを含んで構成されてもよい。
【０１０７】
入力装置1005は、外部からの入力を受け付ける入力デバイス（例えば、キーボード、マウス、マイクロフォン、スイッチ、ボタン、センサなど）である。出力装置1006は、外部への出力を実施する出力デバイス（例えば、ディスプレイ、スピーカー、LEDランプなど）である。なお、入力装置1005及び出力装置1006は、一体となった構成（例えば、タッチパネル）であってもよい。
【０１０８】
また、プロセッサ1001及びメモリ1002などの各装置は、情報を通信するためのバス1007で接続される。バス1007は、単一のバスを用いて構成されてもよいし、装置間毎に異なるバスを用いて構成されてもよい。
【０１０９】
さらに、当該装置は、マイクロプロセッサ、デジタル信号プロセッサ（Digital Signal Processor： DSP）、Application Specific Integrated Circuit（ASIC）、Programmable Logic Device（PLD）、Field Programmable Gate Array（FPGA）などのハードウェアを含んで構成されてもよく、当該ハードウェアにより、各機能ブロックの一部または全てが実現されてもよい。例えば、プロセッサ1001は、これらのハードウェアの少なくとも１つを用いて実装されてもよい。
【０１１０】
また、情報の通知は、本開示において説明した態様／実施形態に限られず、他の方法を用いて行われてもよい。例えば、情報の通知は、物理レイヤシグナリング（例えば、Downlink Control Information（DCI）、Uplink Control Information（UCI）、上位レイヤシグナリング（例えば、RRCシグナリング、Medium Access Control（MAC）シグナリング、報知情報（Master Information Block（MIB）、System Information Block（SIB））、その他の信号またはこれらの組み合わせによって実施されてもよい。また、RRCシグナリングは、RRCメッセージと呼ばれてもよく、例えば、RRC接続セットアップ（RRC Connection Setup）メッセージ、RRC接続再構成（RRC Connection Reconfiguration）メッセージなどであってもよい。
【０１１１】
本開示において説明した各態様／実施形態は、Long Term Evolution（LTE）、LTE-Advanced（LTE-A）、SUPER 3G、IMT-Advanced、4th generation mobile communication system（4G）、5th generation mobile communication system（5G）、Future Radio Access（FRA）、New Radio（NR）、W-CDMA（登録商標）、GSM（登録商標）、CDMA2000、Ultra Mobile Broadband（UMB）、IEEE 802.11（Wi-Fi（登録商標））、IEEE 802.16（WiMAX（登録商標））、IEEE 802.20、Ultra-WideBand（UWB）、Bluetooth（登録商標）、その他の適切なシステムを利用するシステム及びこれらに基づいて拡張された次世代システムの少なくとも一つに適用されてもよい。また、複数のシステムが組み合わされて（例えば、LTE及びLTE-Aの少なくとも一方と5Gとの組み合わせなど）適用されてもよい。
【０１１２】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１１３】
本開示において基地局によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局及び基地局以外の他のネットワークノード（例えば、MMEまたはS-GWなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、MME及びS-GW）であってもよい。
【０１１４】
情報、信号（情報等）は、上位レイヤ（または下位レイヤ）から下位レイヤ（または上位レイヤ）へ出力され得る。複数のネットワークノードを介して入出力されてもよい。
【０１１５】
入出力された情報は、特定の場所（例えば、メモリ）に保存されてもよいし、管理テーブルを用いて管理してもよい。入出力される情報は、上書き、更新、または追記され得る。出力された情報は削除されてもよい。入力された情報は他の装置へ送信されてもよい。
【０１１６】
判定は、１ビットで表される値（０か１か）によって行われてもよいし、真偽値（Boolean：trueまたはfalse）によって行われてもよいし、数値の比較（例えば、所定の値との比較）によって行われてもよい。
【０１１７】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１１８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１１９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital Subscriber Line：DSL）など）及び無線技術（赤外線、マイクロ波など）の少なくとも一方を使用してウェブサイト、サーバ、または他のリモートソースから送信される場合、これらの有線技術及び無線技術の少なくとも一方は、伝送媒体の定義内に含まれる。
【０１２０】
本開示において説明した情報、信号などは、様々な異なる技術の何れかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【０１２１】
なお、本開示において説明した用語及び本開示の理解に必要な用語については、同一のまたは類似する意味を有する用語と置き換えてもよい。例えば、チャネル及びシンボルの少なくとも一方は信号（シグナリング）であってもよい。また、信号はメッセージであってもよい。また、コンポーネントキャリア（Component Carrier：CC）は、キャリア周波数、セル、周波数キャリアなどと呼ばれてもよい。
【０１２２】
本開示において使用する「システム」及び「ネットワーク」という用語は、互換的に使用される。
【０１２３】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１２４】
上述したパラメータに使用する名称はいかなる点においても限定的な名称ではない。さらに、これらのパラメータを使用する数式等は、本開示で明示的に開示したものと異なる場合もある。様々なチャネル（例えば、PUCCH、PDCCHなど）及び情報要素は、あらゆる好適な名称によって識別できるため、これらの様々なチャネル及び情報要素に割り当てている様々な名称は、いかなる点においても限定的な名称ではない。
【０１２５】
本開示においては、「基地局（Base Station：BS）」、「無線基地局」、「固定局（fixed station）」、「NodeB」、「eNodeB（eNB）」、「gNodeB（gNB）」、「アクセスポイント（access point）」、「送信ポイント（transmission point）」、「受信ポイント（reception point）、「送受信ポイント（transmission/reception point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１２６】
基地局は、１つまたは複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote Radio Head：RRH）によって通信サービスを提供することもできる。
【０１２７】
「セル」または「セクタ」という用語は、このカバレッジにおいて通信サービスを行う基地局、及び基地局サブシステムの少なくとも一方のカバレッジエリアの一部または全体を指す。
【０１２８】
本開示においては、「移動局（Mobile Station：MS）」、「ユーザ端末（user  terminal）」、「ユーザ装置（User Equipment：UE）」、「端末」などの用語は、互換的に使用され得る。
【０１２９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【０１３０】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型または無人型）であってもよい。なお、基地局及び移動局の少なくとも一方は、必ずしも通信動作時に移動しない装置も含む。例えば、基地局及び移動局の少なくとも一方は、センサなどのInternet of Things（IoT）機器であってもよい。
【０１３１】
また、本開示における基地局は、移動局（ユーザ端末、以下同）として読み替えてもよい。例えば、基地局及び移動局間の通信を、複数の移動局間の通信（例えば、Device-to-Device（D2D）、Vehicle-to-Everything（V2X）などと呼ばれてもよい）に置き換えた構成について、本開示の各態様／実施形態を適用してもよい。この場合、基地局が有する機能を移動局が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１３２】
同様に、本開示における移動局は、基地局として読み替えてもよい。この場合、移動局が有する機能を基地局が有する構成としてもよい。
【０１３３】
「接続された（connected）」、「結合された(coupled)」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、或いはこれらの組み合わせであってもよい。例えば、「接続」は「アクセス」で読み替えられてもよい。本開示で使用する場合、２つの要素は、１またはそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」または「結合」されると考えることができる。
【０１３４】
参照信号は、Reference Signal（RS）と略称することもでき、適用される標準によってパイロット（Pilot）と呼ばれてもよい。
【０１３５】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１３６】
本開示において使用する「第１」、「第２」などの呼称を使用した要素へのいかなる参照も、それらの要素の量または順序を全般的に限定しない。これらの呼称は、２つ以上の要素間を区別する便利な方法として本開示において使用され得る。したがって、第１及び第２の要素への参照は、２つの要素のみがそこで採用され得ること、または何らかの形で第１の要素が第２の要素に先行しなければならないことを意味しない。
【０１３７】
本開示において、「含む（include）」、「含んでいる（including）」及びそれらの変形が使用されている場合、これらの用語は、用語「備える（comprising）」と同様に、包括的であることが意図される。さらに、本開示において使用されている用語「または（or）」は、排他的論理和ではないことが意図される。
【０１３８】
本開示において、例えば、英語でのa, an及びtheのように、翻訳により冠詞が追加された場合、本開示は、これらの冠詞の後に続く名詞が複数形であることを含んでもよい。
【０１３９】
本開示において、「AとBが異なる」という用語は、「AとBが互いに異なる」ことを意味してもよい。なお、当該用語は、「AとBがそれぞれCと異なる」ことを意味してもよい。「離れる」、「結合される」などの用語も、「異なる」と同様に解釈されてもよい。
【０１４０】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【産業上の利用可能性】
【０１４１】
上述したユーザ装置によれば、SFNエリア内を高速で移動する場合であっても、不適切なmobility stateの設定に起因する再接続の発生を回避し得るため、有用である。
【符号の説明】
【０１４２】
10  無線通信システム
100  UE
101  送信部
103  受信部
105  制御部
201, 203, 205  eNB
211, 213, 215, 217  RRH
221  BBU
231, 233, 235, 237, 239, 241  セル
300  コアネットワーク
400  高速鉄道
410  線路
430  トンネル
500  SFNエリア
1001  プロセッサ
1002  メモリ
1003  ストレージ
1004  通信装置
1005  入力装置
1006  出力装置
1007  バス
A, B  地点
【図１】
2020166019.tif 000003
【図２】
2020166019.tif 000004
【図３】
2020166019.tif 000005
【図４】
2020166019.tif 000006
【図５】
2020166019.tif 000007
【図６】
2020166019.tif 000008
【図７】
2020166019.tif 000009
【図８】
2020166019.tif 000010
【図９】
2020166019.tif 000011
【手続補正書】
【提出日】令和3年6月16日(2021.6.16)
【手続補正１】
【補正対象書類名】明細書
【補正対象項目名】００５６
【補正方法】変更
【補正の内容】
【００５６】
なお、SFNエリア500において、SDS機能が動作する場合、UE100は、SFNエリア500を高速で移動しても、ハンドオーバ及びセル再選択を実施した回数がカウントされないため、UE100のmobility stateとして、normal mobility stateを設定する。このため、SFNエリア500では、接続先セルの変更処理が行われるまでの時間が短縮されない。
【手続補正２】
【補正対象書類名】明細書
【補正対象項目名】００５７
【補正方法】変更
【補正の内容】
【００５７】
これに対して、SFNエリア500において、SDS機能を中断する場合、UE100は、UE100のmobility stateとして、normal mobility stateを設定しないため、SFNエリア500では、接続先セルの変更処理が行われるまでの時間が短縮されない状態を回避することができる。
【手続補正３】
【補正対象書類名】明細書
【補正対象項目名】００５９
【補正方法】変更
【補正の内容】
【００５９】
図４に示すように、UE100は、高速鉄道400がトンネル430に入るまで、SDS機能に基づいて、接続先セルの変更処理が行われるまでの時間を調整する。本実施形態では、UE100は、高速で移動しているため、UE100のmobility stateとして、high mobility stateが設定される。
【手続補正４】
【補正対象書類名】明細書
【補正対象項目名】００６１
【補正方法】変更
【補正の内容】
【００６１】
UE100は、SFNエリア500に在圏すると判断する場合、SDS機能を中断して、mobility stateの変更を実施せず、UE100に設定されているmobility stateを維持する（図５のS13）。これにより、接続先セルの変更処理が行われるまでの時間についても、UE100に設定されている時間が維持される。本実施形態では、UE100は、UE100のmobility stateとして、high mobility stateを維持する。
【手続補正５】
【補正対象書類名】明細書
【補正対象項目名】００６３
【補正方法】変更
【補正の内容】
【００６３】
高速鉄道400がトンネル430から出て、UE100が、highSpeedEnhancedDemodulationFlag-r14が設定されていない報知信号をセル241から受信すると、SFNエリア500から出たと判断する（図５のS15:YES）。なお、UE100が当該報知信号を受信する位置は、図３の地点Bである。
【手続補正６】
【補正対象書類名】明細書
【補正対象項目名】００６８
【補正方法】変更
【補正の内容】
【００６８】
図６に示すように、UE100は、高速鉄道400がトンネル430に入るまで、SDS機能に基づいて、接続先セルの変更処理が行われるまでの時間を調整する。本実施形態では、UE100は、高速で移動しているため、UE100のmobility stateとして、high mobility stateが設定される。
【手続補正７】
【補正対象書類名】明細書
【補正対象項目名】００７０
【補正方法】変更
【補正の内容】
【００７０】
UE100は、SFNエリア500に在圏すると判断する場合、SDS機能を中断して、UE100のmobility stateとして、high mobility stateを設定する（図７のS23）。これにより、接続先セルの変更処理が行われるまでの時間は、最も短くなる。
【手続補正８】
【補正対象書類名】明細書
【補正対象項目名】００７２
【補正方法】変更
【補正の内容】
【００７２】
高速鉄道400がトンネル430から出て、UE100が、highSpeedEnhancedDemodulationFlag-r14が設定されていない報知信号をセル241から受信すると、SFNエリア500から出たと判断する（図７のS25:YES）。なお、UE100が当該報知信号を受信する位置は、図３の地点Bである。
【手続補正９】
【補正対象書類名】明細書
【補正対象項目名】００７３
【補正方法】変更
【補正の内容】
【００７３】
UE100は、SFNエリア500から出たと判断する場合、SDS機能を再開する（図７のS27）。
【手続補正１０】
【補正対象書類名】明細書
【補正対象項目名】００８１
【補正方法】変更
【補正の内容】
【００８１】
なお、図８のS31において、UE100は、所定のmobility stateの代わりに、所定の係数を、ネットワーク側から受信してもよい。なお、所定の係数は、１より小さい。
【国際調査報告】
2020166019.tif 000012
2020166019.tif 000013